(57)【要約】【課題】省エネルギーで洗濯物を乾燥させることができる物干しシステムを提供する。【解決手段】居室１０と、内部に洗濯物Ｗを干す物干し竿２７を有すると共に居室１０に隣接するように配置される物干し部屋２０と、居室１０と物干し部屋２０とを連通する吸気ガラリ３０と、物干し部屋２０と外部とを連通する排気ガラリ４０と、居室１０から吸気ガラリ３０を介して物干し部屋２０に空気を取り込むと共に、物干し部屋２０内の空気を排気ガラリ４０を介して外部へ排出する換気装置５０と、を具備する。【選択図】図１
2016214532.tif 000002
【特許請求の範囲】
【請求項１】
居室と、
内部に洗濯物を干す物干し部を有すると共に前記居室に隣接するように配置される物干し部屋と、
前記居室と前記物干し部屋とを連通する吸気口と、
前記物干し部屋と外部とを連通する排気口と、
前記居室から前記吸気口を介して前記物干し部屋に空気を取り込むと共に、前記物干し部屋内の空気を前記排気口を介して前記外部へ排出する換気装置と、
を具備する物干しシステム。
【請求項２】
前記物干し部は、前記物干し部屋の上部から下部にかけて多段に形成される、
請求項１に記載の物干しシステム。
【請求項３】
前記物干し部に送風する送風機と、
前記物干し部屋内の除湿を行う除湿機と、
を具備する、
請求項１又は請求項２に記載の物干しシステム。
【請求項４】
前記居室の温度を計測する温度センサと、
前記居室及び前記物干し部屋の湿度を計測する湿度センサと、
前記温度センサで計測された前記居室の温度、及び前記湿度センサで計測された前記居室及び前記物干し部屋の湿度に基づいて、前記換気装置、前記送風機及び前記除湿機を制御する制御部と、
を具備する、
請求項３に記載の物干しシステム。
【請求項５】
前記制御部は、
前記温度センサにより計測された前記居室の温度が所定の温度値以上であるか前記所定の温度値未満であるかを判定し、
前記居室の温度が前記所定の温度値以上である場合、前記換気装置のみを駆動させ、
前記居室の温度が前記所定の温度値未満である場合、前記換気装置に加えて前記送風機を駆動させる、
請求項４に記載の物干しシステム。
【請求項６】
前記制御部は、
前記湿度センサにより計測された前記居室の湿度が所定の湿度値以上であるか前記所定の湿度値未満であるかを判定し、
前記居室の湿度が前記所定の湿度値未満である場合、前記換気装置のみを駆動させ、
前記居室の湿度が前記所定の湿度値以上である場合、前記換気装置に加えて前記送風機を駆動させる、
請求項４に記載の物干しシステム。
【請求項７】
前記制御部は、
前記温度センサにより計測された前記居室の温度が所定の温度値以上であるか前記所定の温度値未満であるか、及び前記湿度センサにより計測された前記居室の湿度が所定の湿度値以上であるか前記所定の湿度値未満であるかを判定し、
前記居室の温度が前記所定の温度値以上であり、且つ、前記居室の湿度が前記所定の湿度値未満である場合、前記換気装置のみを駆動させ、
それ以外の場合、前記換気装置に加えて前記送風機を駆動させる、
請求項４に記載の物干しシステム。
【請求項８】
前記制御部は、
前記湿度センサにより計測された前記物干し部屋の湿度が所定の湿度値以上であるか前記所定の湿度値未満であるかを判定し、
前記物干し部屋の湿度が前記所定の湿度値未満である場合、前記換気装置及び前記送風機のみを駆動させ、
前記物干し部屋の湿度が前記所定の湿度値以上である場合、前記換気装置及び前記送風機に加えて前記除湿機を駆動させる、
請求項４に記載の物干しシステム。
【請求項９】
前記制御部は、
前記温度センサにより計測された前記居室の温度が所定の温度値以上であるか前記所定の温度値未満であるか、及び前記湿度センサにより計測された前記居室の湿度が所定の第一湿度値以上であるか前記所定の第一湿度値未満であるかを判定する第一判定を行い、
前記第一判定において、前記居室の温度が前記所定の温度値以上であり、且つ、前記居室の湿度が前記所定の第一湿度値未満である場合、前記換気装置のみを駆動させ、
前記第一判定において、それ以外の場合、前記換気装置に加えて前記送風機を駆動させ、
前記換気装置又は前記換気装置と前記送風機とが所定期間駆動後、前記湿度センサにより計測された前記物干し部屋の湿度が所定の第二湿度値以上であるか前記所定の第二湿度値未満であるかを判定する第二判定を行い、
前記第二判定において、前記物干し部屋の湿度が前記所定の第二湿度値未満である場合、前記換気装置及び前記送風機のみを駆動させ、
前記第二判定において、前記物干し部屋の湿度が前記所定の第二湿度値以上である場合、前記換気装置及び前記送風機に加えて前記除湿機を駆動させる、
請求項４に記載の物干しシステム。
【発明の詳細な説明】
【技術分野】
【０００１】
本発明は、内部に洗濯物を干す物干し部屋を具備する物干しシステムの技術に関する。
【背景技術】
【０００２】
従来、内部に洗濯物を干す物干し部屋を具備する物干しシステムの技術は公知となっている。例えば、特許文献１に記載の如くである。
【０００３】
特許文献１には、他の居室から独立して設けられ、内部に赤外線電球、除湿機、熱交換器、循環器を複合させた乾燥手段を配設した衣類乾燥室が開示されている。特許文献１に記載の技術においては、前記乾燥手段を駆動することにより、衣類乾燥室内の衣類を乾燥させる。
【０００４】
しかしながら、特許文献１に記載の衣類乾燥室は、前記乾燥手段を駆動させるのに多くの電力を必要とする。そのため、省エネルギーという点で十分でなかった。
【先行技術文献】
【特許文献】
【０００５】
【特許文献１】特開２００２−２３３６９４号公報
【発明の概要】
【発明が解決しようとする課題】
【０００６】
本発明は以上の如き状況に鑑みてなされたものであり、その解決しようとする課題は、省エネルギーで洗濯物を乾燥させることができる物干しシステムを提供するものである。
【課題を解決するための手段】
【０００７】
本発明の解決しようとする課題は以上の如くであり、次にこの課題を解決するための手段を説明する。
【０００８】
即ち、請求項１においては、居室と、内部に洗濯物を干す物干し部を有すると共に前記居室に隣接するように配置される物干し部屋と、前記居室と前記物干し部屋とを連通する吸気口と、前記物干し部屋と外部とを連通する排気口と、前記居室から前記吸気口を介して前記物干し部屋に空気を取り込むと共に、前記物干し部屋内の空気を前記排気口を介して前記外部へ排出する換気装置と、を具備するものである。
【０００９】
請求項２においては、前記物干し部は、前記物干し部屋の上部から下部にかけて多段に形成されるものである。
【００１０】
請求項３においては、前記物干し部に送風する送風機と、前記物干し部屋内の除湿を行う除湿機と、を具備するものである。
【００１１】
請求項４においては、前記居室の温度を計測する温度センサと、前記居室及び前記物干し部屋の湿度を計測する湿度センサと、前記温度センサで計測された前記居室の温度、及び前記湿度センサで計測された前記居室及び前記物干し部屋の湿度に基づいて、前記換気装置、前記送風機及び前記除湿機を制御する制御部と、を具備するものである。
【００１２】
請求項５においては、前記制御部は、前記温度センサにより計測された前記居室の温度が所定の温度値以上であるか前記所定の温度値未満であるかを判定し、前記居室の温度が前記所定の温度値以上である場合、前記換気装置のみを駆動させ、前記居室の温度が前記所定の温度値未満である場合、前記換気装置に加えて前記送風機を駆動させるものである。
【００１３】
請求項６においては、前記制御部は、前記湿度センサにより計測された前記居室の湿度が所定の湿度値以上であるか前記所定の湿度値未満であるかを判定し、前記居室の湿度が前記所定の湿度値未満である場合、前記換気装置のみを駆動させ、前記居室の湿度が前記所定の湿度値以上である場合、前記換気装置に加えて前記送風機を駆動させるものである。
【００１４】
請求項７においては、前記制御部は、前記温度センサにより計測された前記居室の温度が所定の温度値以上であるか前記所定の温度値未満であるか、及び前記湿度センサにより計測された前記居室の湿度が所定の湿度値以上であるか前記所定の湿度値未満であるかを判定し、前記居室の温度が前記所定の温度値以上であり、且つ、前記居室の湿度が前記所定の湿度値未満である場合、前記換気装置のみを駆動させ、それ以外の場合、前記換気装置に加えて前記送風機を駆動させるものである。
【００１５】
請求項８においては、前記制御部は、前記湿度センサにより計測された前記物干し部屋の湿度が所定の湿度値以上であるか前記所定の湿度値未満であるかを判定し、前記物干し部屋の湿度が前記所定の湿度値未満である場合、前記換気装置及び前記送風機のみを駆動させ、前記物干し部屋の湿度が前記所定の湿度値以上である場合、前記換気装置及び前記送風機に加えて前記除湿機を駆動させるものである。
【００１６】
請求項９においては、前記制御部は、前記温度センサにより計測された前記居室の温度が所定の温度値以上であるか前記所定の温度値未満であるか、及び前記湿度センサにより計測された前記居室の湿度が所定の第一湿度値以上であるか前記所定の第一湿度値未満であるかを判定する第一判定を行い、前記第一判定において、前記居室の温度が前記所定の温度値以上であり、且つ、前記居室の湿度が前記所定の第一湿度値未満である場合、前記換気装置のみを駆動させ、前記第一判定において、それ以外の場合、前記換気装置に加えて前記送風機を駆動させ、前記換気装置又は前記換気装置と前記送風機とが所定期間駆動後、前記湿度センサにより計測された前記物干し部屋の湿度が所定の第二湿度値以上であるか前記所定の第二湿度値未満であるかを判定する第二判定を行い、前記第二判定において、前記物干し部屋の湿度が前記所定の第二湿度値未満である場合、前記換気装置及び前記送風機のみを駆動させ、前記第二判定において、前記物干し部屋の湿度が前記所定の第二湿度値以上である場合、前記換気装置及び前記送風機に加えて前記除湿機を駆動させるものである。
【発明の効果】
【００１７】
本発明の効果として、以下に示すような効果を奏する。
【００１８】
請求項１においては、省エネルギーで洗濯物を乾燥させることができる。
【００１９】
請求項２においては、一度に多くの洗濯物を干すことができる。
【００２０】
請求項３においては、洗濯物を早く乾燥させることができる。
【００２１】
請求項４においては、より省エネルギーで洗濯物を乾燥させることができる。
【００２２】
請求項５においては、より省エネルギーで洗濯物を乾燥させることができる。
【００２３】
請求項６においては、より省エネルギーで洗濯物を乾燥させることができる。
【００２４】
請求項７においては、より省エネルギーで洗濯物を乾燥させることができる。
【００２５】
請求項８においては、より省エネルギーで洗濯物を乾燥させることができる。
【００２６】
請求項９においては、より省エネルギーで洗濯物を乾燥させることができる。
【図面の簡単な説明】
【００２７】
【図１】本発明の一実施形態に係る物干しシステムを示す平面図。
【図２】本発明の一実施形態に係る物干しシステムを示す左側面図。
【図３】本発明の一実施形態に係る物干しシステムを示す正面図。
【図４】本発明の一実施形態に係る物干しシステムの制御部の構成を示す図。
【図５】本発明の一実施形態に係る物干しシステムの制御部のフローチャート。
【図６】本発明の他の実施形態に係る物干しシステムの制御部のフローチャート。
【発明を実施するための形態】
【００２８】
以下の説明においては、図中に記した矢印に従って、上下方向、左右方向及び前後方向をそれぞれ定義する。
【００２９】
以下では、図１から図４を参照して、本発明の一実施形態に係る物干しシステム１の構成について説明する。なお、図１から図３においては、物干し部屋２０の内部を示すために、紙面手前側の壁部の図示を省略している。
【００３０】
物干しシステム１は、室内で洗濯物（洗濯して水分を含んだ状態の衣類）Ｗを干して乾燥させるためのシステムである、物干しシステム１は、例えば住宅に設けられる。物干しシステム１は、居室１０、物干し部屋２０、吸気ガラリ３０、排気ガラリ４０、換気装置５０、送風機６０、除湿機７０、居室側温湿度センサ８０、物干し部屋側湿度センサ９０及び制御部１００を具備する。
【００３１】
居室１０は、居住者が継続的に使用する部屋であり、例えばリビングである。居室１０は、図１及び図２にて一部しか図示されていないが、前後方向、左右方向及び上下方向が壁部により囲まれて形成される。
【００３２】
物干し部屋２０は、洗濯物Ｗを干して乾燥させるための非居室である。物干し部屋２０は、前後方向、左右方向及び上下方向が壁部により囲まれ、平面視略矩形状に形成される。より詳細には、物干し部屋２０は、前側に配置された前壁部２１と、後側に配置された後壁部２２と、左側に配置された左壁部２３と、右側に配置された右壁部２４とにより、前後方向及び左右方向が囲まれて形成される。そして、物干し部屋２０は、これら壁部の上端部に亘って配置される天井部２５と、これら壁部の下端部に亘って配置される床部２６とにより、上下方向が囲まれて形成される。物干し部屋２０は、例えば１帖程度の広さに形成される。物干し部屋２０の高さ（床部２６と天井部２５との間の上下方向における距離）は、例えば２７００ｍｍ程度に形成される。
【００３３】
物干し部屋２０は、前壁部２１を隔てて居室１０と隣接するように配置される。物干し部屋２０の左壁部２３にはドア２３ａが形成される。物干し部屋２０の内部には、物干し竿２７が設けられる。
【００３４】
物干し竿２７は、洗濯物Ｗを干すためのものである。物干し竿２７は、長手方向を前後方向に向けた円柱状に形成される。物干し竿２７は、物干し部屋２０の略前端から略後端に亘って延びるように形成される。物干し竿２７は、物干し部屋２０の上部から下部にかけて、３段に形成される（図２参照）。３段の物干し竿２７は互いに、上下方向において略等間隔に配置される。
【００３５】
３段の物干し竿２７のうち中段及び下段の物干し竿２７は、物干し部屋２０の右部に配置される。中段及び下段の物干し竿２７の前端と後端はそれぞれ、物干し部屋２０の前壁及び後壁に固定される。３段の物干し竿２７のうち上段の物干し竿２７は、物干し部屋２０の左部に配置される。上段の物干し竿２７は、昇降可能に（上下方向に移動可能に）形成される。上段の物干し竿２７を昇降可能とするための構成は、任意の構成とすることができる。居住者は、上段の物干し竿２７に洗濯物Ｗを干す際や、上段の物干し竿２７から洗濯物Ｗを回収する際に、上段の物干し竿２７を下降させた状態とすることで、容易に洗濯物Ｗを干したり回収したりすることができる。上段の物干し竿２７は、下降させたときに上段の物干し竿２７に干した洗濯物Ｗと中段及び下段の物干し竿２７に干した洗濯物Ｗとが互いに衝突しないように、中段及び下段の物干し竿２７に対して左右方向にずらして配置される（図３参照）。
【００３６】
物干し部屋２０の左方には、左壁部２３を隔てて洗面脱衣室２が隣接している。洗面脱衣室２の前側の壁部にはドア２ａが形成される。居室１０にいる居住者は、ドア２ａから洗面脱衣室２に入ることができる。そして、洗面脱衣室２にいる居住者は、ドア２３ａから物干し部屋２０に入ることができる。
【００３７】
吸気ガラリ３０は、居室１０と物干し部屋２０とを連通するものである。吸気ガラリ３０は、前壁部２１を略前後方向に貫通するように形成される。吸気ガラリ３０は、左右方向において前壁部２１の略中央に形成される。吸気ガラリ３０は、上下方向において前壁部２１の下部（床部２６に近い位置）に形成される。
【００３８】
排気ガラリ４０は、物干し部屋２０と外部とを連通するものである。具体的には、排気ガラリ４０は、物干し部屋２０の室内と後壁部２２を隔てた物干し部屋２０の室外（住宅の外部）とを連通するものである。排気ガラリ４０は、後壁部２２を略前後方向に貫通するように形成される。排気ガラリ４０は、左右方向において後壁部２２の略中央に形成される。排気ガラリ４０は、吸気ガラリ３０よりも上方に形成される。具体的には、排気ガラリ４０は、上下方向において後壁部２２の上部（天井部２５に近い位置）に形成される。
【００３９】
換気装置５０は、例えばファンであり、一方側（吸込側）から空気を吸い込み、他側（吐出側）から空気を吐き出すものである。換気装置５０は、吸込側を前方へ向けて、吐出側を後方へ向けて配置される。換気装置５０は、正面視において排気ガラリ４０と重複する位置に、後壁部２２の外壁面（前後方向外側の面）側に配置される。これにより、換気装置５０は、居室１０から吸気ガラリ３０を介して物干し部屋２０に空気を取り込むと共に、物干し部屋２０内の空気を排気ガラリ４０を介して外部へ排出させる。換気装置５０は、風力の異なる２つのモード（「強」と「弱」）で駆動可能に形成される。
【００４０】
吸気ガラリ３０は床部２６と近い位置に、排気ガラリ４０は天井部２５と近い位置に配置されているため、換気装置５０により居室１０から取り込んだ空気を下方から上方まで行き渡らせることができる。このため、３段の物干し竿２７に干した洗濯物Ｗそれぞれに、風を当てることができる。つまり、吸気ガラリ３０、排気ガラリ４０及び換気装置５０により、居室１０の空気を利用して、物干し部屋２０の洗濯物Ｗの乾燥を促進させることができる。
【００４１】
一般的に、冬場において居室１０に居住者がいる場合、居室１０はエアコン等の暖房器具により、居住者が快適に過ごすことができる程度に暖められている。この場合、本実施形態に係る物干しシステム１は、居室１０の暖かい空気を利用できるので、物干し部屋２０に新たに熱源となる設備を配置する必要がない。
【００４２】
送風機６０は、送風機６０に形成される吹出口（不図示）から風を送るものである。送風機６０は、右壁部２４の内壁面に固定される。送風機６０は、前後方向において右壁部２４の略中央に、且つ、右壁部２４の上部（天井部２５の近傍）に配置される。送風機６０は、前記吹出口を左斜め下方向に向けて配置される。これにより、送風機６０は、物干し竿２７（及び物干し竿２７に干された洗濯物Ｗ）へ向けて風を送ることができ、ひいては、洗濯物Ｗの乾燥を促進させることができる。送風機６０は、風力の異なる２つのモード（「強」と「弱」）で駆動可能に形成される。
【００４３】
除湿機７０は、物干し部屋２０内の除湿を行うものである。除湿機７０は、左壁部２３の内壁面に沿うように、床部２６上に載置される。除湿機７０を洗面脱衣室２の近くに配置することにより、除湿機７０の排水口と洗面脱衣室２の排水口とを共通化することが容易となる。除湿機７０は、前後方向において物干し部屋２０の後方寄り（後壁部２２に近い位置）に配置される。
【００４４】
居室側温湿度センサ８０は、居室１０（居室１０内の空気）の温度及び湿度を計測するものである。居室側温湿度センサ８０は、前壁部２１の外壁面（居室１０側の面）に配置される。つまり、居室側温湿度センサ８０は、吸気ガラリ３０が形成される壁部と同じ壁部に配置されている。居室側温湿度センサ８０は、後述する制御部１００に内臓されている。居室側温湿度センサ８０により、居室１０の温度及び湿度、特に吸気ガラリ３０を介して物干し部屋２０へ取り込まれようとする空気の温度と湿度を検知することができる。
【００４５】
物干し部屋側湿度センサ９０は、物干し部屋２０（物干し部屋２０内の空気）の湿度を計測するものである。物干し部屋側湿度センサ９０は、右壁部２４の内壁面に配置される。
【００４６】
図１から図４に示す制御部１００は、換気装置５０、送風機６０及び除湿機７０の駆動のタイミングや風力の強弱を制御するものである。この制御は、居室側温湿度センサ８０で計測された居室１０の温度及び湿度、及び物干し部屋側湿度センサ９０で計測された物干し部屋２０の湿度に基づいて行われる。制御部１００は、前壁部２１の外壁面（居室１０側の面）に配置される。また、制御部１００は、図示せぬ操作部と接続され、前記操作部を操作することにより物干しシステム１の起動や停止等を行うことができるように構成される。制御部１００は、温度／湿度取得部１０１、判定部１０２、換気装置制御部１０３、送風機制御部１０４及び除湿機制御部１０５を具備する。
【００４７】
温度／湿度取得部１０１は、居室側温湿度センサ８０により計測された居室１０の温度及び湿度と、物干し部屋側湿度センサ９０により計測された物干し部屋２０の湿度とを取得して格納するものである。温度／湿度取得部１０１は、居室１０の温度及び湿度と物干し部屋２０の湿度とを連続的に取得している。
【００４８】
判定部１０２は、温度／湿度取得部１０１により取得された居室１０の温度及び湿度や物干し部屋２０の湿度が、予め記憶された所定の値以上であるかどうかを判定するものである。判定部１０２は、この判定結果を示す信号を、後述する換気装置制御部１０３、送風機制御部１０４及び除湿機制御部１０５に送信する。
【００４９】
換気装置制御部１０３は、換気装置５０の駆動のタイミングや風力の強弱を制御するものである。この制御は、判定部１０２の判定結果を示す信号に基づき行われる。
【００５０】
送風機制御部１０４は、送風機６０の駆動のタイミングや風力の強弱を制御するものである。この制御は、判定部１０２の判定結果を示す信号に基づき行われる。
【００５１】
除湿機制御部１０５は、除湿機７０の駆動のタイミングを制御するものである。この制御は、判定部１０２の判定結果を示す信号に基づき行われる。
【００５２】
以下、図４及び図５を用いて、制御部１００による制御の流れについて説明する。
【００５３】
居住者は、洗濯物Ｗを物干し竿２７に干した後、物干しシステム１を起動させる（ステップＳ１０）。
【００５４】
物干しシステム１が起動すると、居室側温湿度センサ８０は、居室１０の温度及び湿度の計測を開始する。そして、物干し部屋側湿度センサ９０は、物干し部屋２０の湿度の計測を開始する。
【００５５】
次に、判定部１０２は、温度／湿度取得部１０１により取得された居室１０の温度及び湿度と、予め記憶された所定の温度値及び所定の湿度値（第一湿度値）とを比較する。本実施形態において、前記所定の温度値を２０℃、前記所定の第一湿度値を５０％ＲＨとする。判定部１０２は、居室１０の温度が２０℃以上であるか２０℃未満であるか、及び居室１０の湿度が５０％ＲＨ以上であるか５０％ＲＨ未満であるかを判定する第一判定を行う（ステップＳ２０）。
【００５６】
判定部１０２は、居室１０の温度が２０℃以上であり、且つ、居室１０の湿度が５０％ＲＨ未満であると判定した場合（ステップＳ２０で「ＹＥＳ」）、この判定結果を示す信号を換気装置制御部１０３に送信する。換気装置制御部１０３は、この信号を受けて、換気装置５０を「強」で駆動させる（ステップＳ３０）。
【００５７】
判定部１０２は、それ以外の場合、すなわち居室１０の温度が２０℃以上であり、且つ、居室１０の湿度が５０％ＲＨ未満という条件を満たさないと判定した場合（ステップＳ２０で「ＮＯ」）、この判定結果を示す信号を換気装置制御部１０３及び送風機制御部１０４に送信する。換気装置制御部１０３は、この信号を受けて、換気装置５０を「強」で駆動させる。送風機制御部１０４は、この信号を受けて、送風機６０を「強」で駆動させる（ステップＳ４０）。
【００５８】
ステップＳ２０からステップＳ４０においては、居室１０内の空気が洗濯物Ｗの乾燥に最適なものであるかどうかが判定される。居室１０内の空気が洗濯物Ｗの乾燥に最適（２０℃以上、５０％ＲＨ未満）である場合は、換気装置５０のみで洗濯物Ｗをある程度まで乾燥させることができるため、送風機６０は駆動させない。これにより、送風機６０の駆動に要する無駄な電力消費を抑制することができる。一方、それ以外の場合は、換気装置５０に加えて送風機６０を駆動させるので、洗濯物Ｗの乾燥を促進させることができる。
【００５９】
また、ステップＳ２０からステップＳ４０においては、除湿機７０は駆動させない。まずは、換気装置５０又は換気装置５０と送風機６０とにより風を洗濯物Ｗに当てる。これにより、洗濯物Ｗの表面の水分を飛ばすことができる。
【００６０】
前記第一判定の後、換気装置５０又は換気装置５０と送風機６０とは、所定期間（例えば、１時間以上）駆動する。次に、判定部１０２は、温度／湿度取得部１０１により取得された物干し部屋２０の湿度と、予め記憶された所定の湿度値（第二湿度値）とを比較する。本実施形態において、前記所定の第二湿度値を６５％ＲＨとする。判定部１０２は、物干し部屋２０の湿度が６５％ＲＨ以上であるか６５％ＲＨ未満であるかを判定する第二判定を行う（ステップＳ５０）。
【００６１】
判定部１０２は、物干し部屋２０の湿度が６５％ＲＨ未満であると判定した場合（ステップＳ５０で「ＹＥＳ」）、この判定結果を示す信号を換気装置制御部１０３及び送風機制御部１０４に送信する。換気装置制御部１０３は、この信号を受けて、換気装置５０を「弱」で駆動させる。送風機制御部１０４は、この信号を受けて、送風機６０を「弱」で駆動させる（ステップＳ６０）。
【００６２】
判定部１０２は、物干し部屋２０の湿度が６５％ＲＨ以上であると判定した場合（ステップＳ５０で「ＮＯ」）、この判定結果を示す信号を換気装置制御部１０３、送風機制御部１０４及び除湿機制御部１０５に送信する。換気装置制御部１０３は、この信号を受けて、換気装置５０を「弱」で駆動させる。送風機制御部１０４は、この信号を受けて、送風機６０を「弱」で駆動させる。除湿機制御部１０５は、この信号を受けて、除湿機７０を駆動させる（ステップＳ７０）。
【００６３】
ステップＳ５０からステップＳ７０においては、洗濯物Ｗの乾燥の進行度合いが判定される。物干し部屋２０の湿度が低い（６５％ＲＨ未満である）場合、洗濯物Ｗの乾燥がある程度進行していると考えられる。この場合は、換気装置５０及び送風機６０のみで洗濯物Ｗの内部の水分を乾燥させることができるため、除湿機７０は駆動させない。これにより、除湿機７０の駆動に要する無駄な電力消費を抑制することができる。一方、それ以外の場合は、換気装置５０及び送風機６０に加えて除湿機７０を駆動させるので、洗濯物Ｗの内部の水分を乾燥させることができる。
【００６４】
換気装置５０が駆動してから予め設定された所定期間（例えば、８時間）経過後、自動的に物干しシステム１は終了する（ステップＳ８０）。
【００６５】
例えば、夜に洗濯物Ｗを干して、朝に洗濯物Ｗの乾燥を完了させたい場合には、多くの電力を消費してまで短時間で洗濯物Ｗを乾燥させる必要はなく、最小限に電力消費を抑えつつ、朝までに洗濯物Ｗの乾燥が完了すればよいと考えられる。本実施形態に係る物干しシステム１は、上記の如く構成されることにより、夜に洗濯物Ｗを干しておけば、朝までに洗濯物Ｗを乾燥させることができ、その際の電力消費を最小限に抑えることができる。
【００６６】
以上の如く、本実施形態に係る物干しシステム１は、居室１０と、内部に洗濯物Ｗを干す物干し竿２７（物干し部）を有すると共に前記居室１０に隣接するように配置される物干し部屋２０と、前記居室１０と前記物干し部屋２０とを連通する吸気ガラリ３０（吸気口）と、前記物干し部屋２０と外部とを連通する排気ガラリ４０（排気口）と、前記居室１０から前記吸気ガラリ３０を介して前記物干し部屋２０に空気を取り込むと共に、前記物干し部屋２０内の空気を前記排気ガラリ４０を介して前記外部へ排出する換気装置５０と、を具備するものである。
このように構成することにより、省エネルギーで洗濯物Ｗを乾燥させることができる。
【００６７】
また、本実施形態に係る物干しシステム１において、前記物干し竿２７は、前記物干し部屋２０の上部から下部にかけて多段に形成されるものである。
このように構成することにより、一度に多くの洗濯物Ｗを干すことができる。
【００６８】
また、本実施形態に係る物干しシステム１は、前記物干し竿２７に送風する送風機６０と、前記物干し部屋２０内の除湿を行う除湿機７０と、を具備するものである。
このように構成することにより、洗濯物Ｗを早く乾燥させることができる。
【００６９】
また、本実施形態に係る物干しシステム１は、前記居室１０の温度を計測する居室側温湿度センサ８０（温度センサ）と、前記居室１０及び前記物干し部屋２０の湿度を計測する居室側温湿度センサ８０及び物干し部屋側湿度センサ９０（湿度センサ）と、前記居室側温湿度センサ８０で計測された前記居室１０の温度、及び前記居室側温湿度センサ８０及び物干し部屋側湿度センサ９０で計測された前記居室１０及び前記物干し部屋２０の湿度に基づいて、前記換気装置５０、前記送風機６０及び前記除湿機７０を制御する制御部１００と、を具備するものである。
このように構成することにより、より省エネルギーで洗濯物Ｗを乾燥させることができる。
【００７０】
また、本実施形態に係る物干しシステム１において、前記制御部１００は、前記居室側温湿度センサ８０により計測された前記居室１０の温度が所定の温度値以上であるか前記所定の温度値未満であるかを判定し、前記居室１０の温度が前記所定の温度値以上である場合、前記換気装置５０のみを駆動させ、前記居室１０の温度が前記所定の温度値未満である場合、前記換気装置５０に加えて前記送風機６０を駆動させるものである。
このように構成することにより、より省エネルギーで洗濯物Ｗを乾燥させることができる。
【００７１】
また、本実施形態に係る物干しシステム１において、前記制御部１００は、前記居室側温湿度センサ８０により計測された前記居室１０の湿度が所定の湿度値以上であるか前記所定の湿度値未満であるかを判定し、前記居室１０の湿度が前記所定の湿度値未満である場合、前記換気装置５０のみを駆動させ、前記居室１０の湿度が前記所定の湿度値以上である場合、前記換気装置５０に加えて前記送風機６０を駆動させるものである。
このように構成することにより、より省エネルギーで洗濯物Ｗを乾燥させることができる。
【００７２】
また、本実施形態に係る物干しシステム１において、前記制御部１００は、前記居室側温湿度センサ８０により計測された前記居室１０の温度が所定の温度値以上であるか前記所定の温度値未満であるか、及び前記居室側温湿度センサ８０により計測された前記居室１０の湿度が所定の湿度値以上であるか前記所定の湿度値未満であるかを判定し、前記居室１０の温度が前記所定の温度値以上であり、且つ、前記居室１０の湿度が前記所定の湿度値未満である場合、前記換気装置５０のみを駆動させ、それ以外の場合、前記換気装置５０に加えて前記送風機６０を駆動させるものである。
このように構成することにより、より省エネルギーで洗濯物Ｗを乾燥させることができる。
【００７３】
また、本実施形態に係る物干しシステム１において、前記制御部１００は、前記物干し部屋側湿度センサ９０により計測された前記物干し部屋２０の湿度が所定の湿度値以上であるか前記所定の湿度値未満であるかを判定し、前記物干し部屋２０の湿度が前記所定の湿度値未満である場合、前記換気装置５０及び前記送風機６０のみを駆動させ、前記物干し部屋２０の湿度が前記所定の湿度値以上である場合、前記換気装置５０及び前記送風機６０に加えて前記除湿機７０を駆動させるものである。
このように構成することにより、より省エネルギーで洗濯物Ｗを乾燥させることができる。
【００７４】
また、本実施形態に係る物干しシステム１において、前記制御部１００は、前記居室側温湿度センサ８０により計測された前記居室１０の温度が所定の温度値以上であるか前記所定の温度値未満であるか、及び前記居室側温湿度センサ８０により計測された前記居室１０の湿度が所定の第一湿度値以上であるか前記所定の第一湿度値未満であるかを判定する第一判定を行い、前記第一判定において、前記居室１０の温度が前記所定の温度値以上であり、且つ、前記居室１０の湿度が前記所定の第一湿度値未満である場合、前記換気装置５０のみを駆動させ、前記第一判定において、それ以外の場合、前記換気装置５０に加えて前記送風機６０を駆動させ、前記換気装置５０又は前記換気装置５０と前記送風機６０とが所定期間駆動後、前記物干し部屋側湿度センサ９０により計測された前記物干し部屋２０の湿度が所定の第二湿度値以上であるか前記所定の第二湿度値未満であるかを判定する第二判定を行い、前記第二判定において、前記物干し部屋２０の湿度が前記所定の第二湿度値未満である場合、前記換気装置５０及び前記送風機６０のみを駆動させ、前記第二判定において、前記物干し部屋２０の湿度が前記所定の第二湿度値以上である場合、前記換気装置５０及び前記送風機６０に加えて前記除湿機７０を駆動させるものである。
このように構成することにより、より省エネルギーで洗濯物Ｗを乾燥させることができる。
【００７５】
なお、本実施形態に係る物干し竿２７は、本発明に係る物干し部の実施の一形態である。
また、本実施形態に係る吸気ガラリ３０は、本発明に係る吸気口の実施の一形態である。
また、本実施形態に係る排気ガラリ４０は、本発明に係る排気口の実施の一形態である。
また、本実施形態に係る居室側温湿度センサ８０は、本発明に係る温度センサ及び湿度センサの実施の一形態である。
また、本実施形態に係る物干し部屋側湿度センサ９０は、本発明に係る湿度センサの実施の一形態である。
【００７６】
以上、本発明の実施形態を説明したが、本発明は上記構成に限定されるものではなく、特許請求の範囲に記載された発明の範囲内で種々の変更が可能である。
【００７７】
例えば、本実施形態においては、物干し竿２７は物干し部屋２０の上部から下部にかけて３段に形成されるものとしたが、物干し竿２７の段数はこれに限定されるものではない。
【００７８】
また、本実施形態においては、制御部１００は、第一判定において、居室１０の温度と湿度の両方について所定値以上であるか否かを判定するものとしたが、本発明はこれに限定されるものではない。制御部１００は、第一判定において、居室１０の温度のみについて所定値以上であるか否かを判定するものとしてもよい。また、制御部１００は、第一判定において、居室１０の湿度のみについて所定値以上であるか否かを判定するものとしてもよい。
【００７９】
また、本実施形態においては、排気ガラリ４０は後壁部２２を前後方向に貫通するように形成されるものとしたが、本発明はこれに限定されるものではない。排気ガラリ４０は、左壁部２３を左右方向に貫通するように形成されてもよい。この場合、換気装置５０として、洗面脱衣室２の既設の換気装置を活用することができる。
【００８０】
また、本実施形態においては、換気装置５０は、後壁部２２の外壁面側に配置されるものとしたが、本発明はこれに限定されるものではない。換気装置５０は、正面視において吸気ガラリ３０と重複する位置に、前壁部２１の内壁面（前後方向内側の面）側に配置されてもよい。
【００８１】
また、本実施形態においては、居室１０はリビングであるが、本発明はこれに限定されるものではない。居室１０は、例えば寝室であってもよく、台所であってもよい。
【００８２】
また、本実施形態においては、排気ガラリ４０は、物干し部屋２０と住宅の外部とを連通するものとしたが、物干し部屋２０と物干し部屋２０に隣接する他の部屋とを連通するものであってもよい。
【００８３】
また、本実施形態においては、換気装置５０が駆動してから予め設定された所定期間（例えば、８時間）経過後、自動的に物干しシステム１は終了するものとしたが、本発明はこれに限定されるものではない。以下、図６を用いて、第二実施形態に係る制御部１００による制御の流れについて説明する。
【００８４】
ステップＳ７０までは、第一実施形態に係る制御部１００による制御の流れと同様である。第二判定の後、換気装置５０及び送風機６０、又は換気装置５０、送風機６０及び除湿機７０は、所定期間（例えば、１時間以上）駆動する。
【００８５】
次に、判定部１０２は、温度／湿度取得部１０１により取得された物干し部屋２０の湿度と、予め記憶された所定の湿度値（第三湿度値）とを比較する。本実施形態において、前記所定の第三湿度値を５０％ＲＨとする。判定部１０２は、物干し部屋２０の湿度が５０％ＲＨ以上であるか５０％ＲＨ未満であるかを判定する第三判定を行う（ステップＳ７１）。
【００８６】
判定部１０２は、物干し部屋２０の湿度が５０％ＲＨ未満であると判定した場合（ステップＳ７１で「ＹＥＳ」）、洗濯物Ｗの乾燥が完了したと判断し、物干しシステム１を終了させる（ステップＳ８０）。
【００８７】
判定部１０２は、物干し部屋２０の湿度が５０％ＲＨ以上であると判定した場合（ステップＳ７１で「ＮＯ」）、洗濯物Ｗの乾燥が未だ完了していないと判断する。そうすると、判定部１０２は、物干し部屋２０の湿度が６５％ＲＨ以上であるか６５％ＲＨ未満であるかを判定する第二判定のステップ（ステップＳ５０）に戻り、以降前述のステップを繰り返す。
【００８８】
これにより、洗濯物Ｗの乾燥が完了した時点で、予め設定された所定期間が経過する前に物干しシステム１を停止させることができる。したがって、無駄な電力消費を抑えることができる。
【００８９】
以上、本発明の第二実施形態を説明したが、本発明は上記構成に限定されるものではなく、特許請求の範囲に記載された発明の範囲内で種々の変更が可能である。
【００９０】
例えば、第二実施形態においては、判定部１０２は、温度／湿度取得部１０１により取得された物干し部屋２０の湿度と、予め記憶された所定の湿度値（第三湿度値）とを比較して第三判定を行うものとしたが、本発明はこれに限定されるものではない。判定部１０２は、物干し部屋２０の湿度の時間の経過に伴う変化から、洗濯物Ｗの乾燥が完了したかどうかを判断してもよい。具体的には、判定部１０２は、例えば、物干し部屋２０の湿度の低下が１時間で１％ＲＨ未満である場合に、物干しシステム１を自動的に終了させるようにしてもよい。
【符号の説明】
【００９１】
１      物干しシステム
１０    居室
２０    物干し部屋
２７    物干し竿（物干し部）
３０    吸気ガラリ（吸気口）
４０    排気ガラリ（排気口）
５０    換気装置
６０    送風機
７０    除湿機
８０    居室側温湿度センサ（温度センサ、湿度センサ）
９０    物干し部屋側湿度センサ（湿度センサ）
１００  制御部
【図１】
2016214532.tif 000003
【図２】
2016214532.tif 000004
【図３】
2016214532.tif 000005
【図４】
2016214532.tif 000006
【図５】
2016214532.tif 000007
【図６】
2016214532.tif 000008